(57)【要約】【課題】絞り装置の一部を用いて操作リングの回動規制を行うことにより、操作リングの回動規制を正確に行い、且つ、部品点数の少ないレンズ鏡胴を提供する。【解決手段】レンズ鏡胴１０は、鏡胴本体１２と、鏡胴本体１２に光軸Ｐ方向に移動自在に支持されたレンズ枠２４、３４と、鏡胴本体１２に回動自在に支持されてレンズ枠２４、３４を光軸Ｐ方向に移動させるフォーカスリング２０及びズームリング３０と、鏡胴本体１２に装着される絞り装置１６と、を備える。フォーカスリング２０及びズームリング３０は、絞り装置１６の回動規制部６４に当接して回動規制される。【選択図】      図１
2006301290.tif 000002
【特許請求の範囲】
【請求項１】
鏡胴本体と、
該鏡胴本体に光軸方向に移動自在に支持されたレンズ枠と、
前記鏡胴本体に回動自在に支持され、前記レンズ枠を光軸方向に移動させる操作リングと、
前記鏡胴本体に装着される絞り装置と、を備えたレンズ鏡胴において、
前記操作リングは、前記絞り装置の一部に当接して回動規制されることを特徴とするレンズ鏡胴。
【請求項２】
前記絞り装置は、前記鏡胴本体の周面に形成された開口に差し込まれて装着されることを特徴とする請求項１に記載のレンズ鏡胴。
【請求項３】
前記操作リングは端面に段差部を有し、該段差部が前記絞り装置の一部に当接されることを特徴とする請求項１又は２に記載のレンズ鏡胴。
【請求項４】
前記操作リングは、外周面から突起した突起部を有し、該突起部が前記絞り装置の一部に当接して回動規制されることを特徴とする請求項１又は２に記載のレンズ鏡胴。
【請求項５】
前記操作リングは、フォーカスリング又はズームリングであることを特徴とする請求項１〜４のいずれか１に記載のレンズ鏡胴。
【請求項６】
前記操作リングは、前記絞り装置の一部に面接触することを特徴とする請求項１〜５のいずれか１に記載のレンズ鏡胴。
【発明の詳細な説明】
【技術分野】
【０００１】
本発明はレンズ鏡胴に係り、特に監視カメラに装着されるレンズ鏡胴に関する。
【背景技術】
【０００２】
フォーカス操作やズーム操作等を手動で行う監視カメラのレンズ鏡胴には、鏡胴本体の外周部にフォーカスリングやズームリング等の操作リングが回動自在に設けられており、この操作リングを回動操作することにより、フォーカシングやズーミングが行われる（例えば特許文献１参照）。
【０００３】
このような操作リングを有するレンズ鏡胴には、操作リングの回動範囲を規制する回動規制手段が設けられている。回動規制手段は、例えば、操作リングに突設された回動規制用のピンと、このピンが係合される鏡胴本体の溝とから成り、ピンが溝の端部に当接することによって、操作リングの回動範囲が規制される。通常、回動規制用のピンは、セルフタップねじになっており、樹脂成形された操作リングにねじ込むことによって固定される。
【特許文献１】特開２００４−５４１８６号公報
【発明の開示】
【発明が解決しようとする課題】
【０００４】
しかしながら、従来のレンズ鏡胴は、回動規制用のピンを操作リングにねじ込んだ際にピンが傾いた状態で固定されるおそれがあった。ピンが傾いて固定されると、操作リングの作動角が不正確になり、フォーカシングやズーミングに悪影響を及ぼすという問題が発生する。
【０００５】
また、従来のレンズ鏡胴は、回動規制用のピンや溝が必要になるため、レンズ鏡胴が大型化したり、レンズ鏡胴のコストが増加するという問題があった。
【０００６】
本発明はこのような事情に鑑みてなされたもので、操作リングの回動規制を正確に行うことができ、且つ、部品点数の少ないレンズ鏡胴を提供することを目的とする。
【課題を解決するための手段】
【０００７】
請求項１に記載の発明は前記目的を達成するために、鏡胴本体と、該鏡胴本体に光軸方向に移動自在に支持されたレンズ枠と、前記鏡胴本体に回動自在に支持され、前記レンズ枠を光軸方向に移動させる操作リングと、前記鏡胴本体に装着される絞り装置と、を備えたレンズ鏡胴において、前記操作リングは、前記絞り装置の一部に当接して回動規制されることを特徴とする。
【０００８】
請求項１の発明によれば、絞り装置の一部を操作リングの回動規制として利用したので、部品点数を増やすことなく操作リングの回動規制を行うことができ、装置を小型化且つ低コスト化することができる。
【０００９】
また、請求項１の発明によれば、絞り装置の一部を用いて操作リングの回動規制を行うので、操作リングの作動角が不正確になるおそれがない。すなわち、絞り装置は、鏡胴本体に位置決めされて装着されるので、この絞り装置の一部を用いて操作リングの回動規制を行うことによって、操作リングを正確な範囲で規制することができる。
【００１０】
請求項２に記載の発明は請求項１の発明において、前記絞り装置は、前記鏡胴本体の周面に形成された開口に差し込まれて装着されることを特徴とする。
【００１１】
請求項２の発明によれば、絞り装置を鏡胴本体の周面の開口に差し込んで装着するので、操作リングを鏡胴本体に取り付けた後に絞り装置を鏡胴本体に装着することができる。このように操作リングを取り付けた後に絞り装置を装着して操作リングの回動規制を行うことによって、レンズ鏡胴の組み立て性を向上させることができる。
【００１２】
請求項３に記載の発明は請求項１又は２の発明において、前記操作リングは端面に段差部を有し、該段差部が前記絞り装置の一部に当接されることを特徴とする。
【００１３】
請求項３の発明によれば、操作リングの端面に設けた段差部を絞り装置の一部に当接させて回動規制を行うので、操作リングの外径を大きくすることなく回動規制を行うことができる。
【００１４】
請求項４に記載の発明は請求項１又は２の発明において、前記操作リングは、外周面から突起した突起部を有し、該突起部が前記絞り装置の一部に当接して回動規制されることを特徴とする。
【００１５】
請求項４の発明によれば、操作リングの外周面に設けた突起部を絞り装置の一部に当接させて回動規制を行うので、操作リングの軸方向の長さを長くすることなく回動規制を行うことができる。
【００１６】
請求項５に記載の発明は請求項１〜４のいずれか１の発明において、前記操作リングは、フォーカスリング又はズームリングであることを特徴とする。
【００１７】
請求項６に記載の発明は請求項１〜５のいずれか１の発明において、前記操作リングは、前記絞り装置の一部に面接触することを特徴とする。したがって、請求項６の発明によれば、操作リングと絞り装置との当接部分に十分な強度を確保することができるので、操作リングや絞り装置の変形を防止することができる。これにより、操作リングの作動角を常に正確な範囲に規制することができる。
【発明の効果】
【００１８】
本発明に係るレンズ鏡胴によれば、絞り装置の一部を操作リングの回動規制として利用したので、部品点数を増やすことなく操作リングの回動規制を行うことができ、装置を小型化且つ低コスト化することができるとともに、操作リングの回動範囲を正確に規制することができる。
【発明を実施するための最良の形態】
【００１９】
以下、添付図面に従って本発明に係るレンズ鏡胴の好ましい実施の形態を説明する。
【００２０】
図１は、主に監視用カメラに装着されるレンズ鏡胴１０の構成を示した側面断面図である。同図に示すレンズ鏡胴１０は主として、略筒状の鏡胴本体１２（固定筒ともいう）と、この鏡胴本体１２の基端部に取り付けられてカメラ１８に連結される連結部材１４（マウントともいう）と、鏡胴本体１２に周面側から差し込まれて装着される絞り装置１６とによって構成される。
【００２１】
鏡胴本体１２は、先端側の大径部１２Ａと、基端側の小径部１２Ｂとから成り、この大径部１２Ａと小径部１２Ｂは樹脂によって一体的に成形されている。大径部１２Ａの外周面には、フォーカスリング２０が回動自在に支持され、小径部１２Ｂの外周面には、ズームリング３０が回動自在に支持される。
【００２２】
鏡胴本体１２の大径部１２Ａの内部には、レンズ枠２４に保持されたフォーカスレンズ（群）２２が光軸Ｐ上に配設される。レンズ枠２４の外周面には、係合部２４Ｃが突設されており、この係合部２４Ｃは、大径部１２Ａに光軸Ｐ方向に形成された直進溝１２Ｃに係合される。これにより、レンズ枠２４及びフォーカスレンズ（群）２２は、光軸Ｐ方向に移動自在に支持される。
【００２３】
レンズ枠２４の係合部２４Ｃにはカムピン２６が突設されており、このカムピン２６は、フォーカスリング２０の内周面に形成されたカム溝２０Ｃに係合される。したがって、フォーカスリング２０を回動操作すると、カム溝２０Ｃと直進溝１２Ｃとの交差位置が光軸Ｐ方向に変位し、その交差位置の変位に伴ってレンズ枠２４及びフォーカスレンズ（群）２２が光軸Ｐ方向に移動する。これにより、フォーカスレンズ（群）２２が光軸Ｐ方向に移動し、ピント調整が行われる。なお、レンズ枠２４の係合部２４Ｃ、カムピン２６、フォーカスリング２０のカム溝２０Ｃ、鏡胴本体１２の直進溝１２Ｃから成る係合部分は、レンズ枠２４を安定して移動させるために複数設けることが好ましく、通常は、円周を三等分した三カ所に設けられる。
【００２４】
また、フォーカスリング２０には、外周面から内周面まで貫通するネジ孔２０Ａが形成され、このネジ孔２０Ａにツマミ２８がねじ込まれて取り付けられる。操作者はこのツマミ２８を使用してフォーカスリング２０を回動操作することもできる。また、ツマミ２８をねじ込んでその先端を鏡胴本体１２の大径部１２Ａの外周面に押し当てることによって、フォーカスリング２０を所望のピント調整位置で固定することができる。
【００２５】
鏡胴本体１２の小径部１２Ｂの内部には、レンズ枠３４に保持されたズームレンズ（群）３２が光軸Ｐ上に配設される。レンズ枠３４の外周面には、係合部３４Ｄが突設されており、この係合部３４Ｄは、小径部１２Ｂに光軸Ｐ方向に形成された直進溝１２Ｄに係合される。これにより、レンズ枠３４及びズームレンズ（群）３２は、光軸Ｐ方向に移動自在に支持される。
【００２６】
レンズ枠３４の係合部３４Ｄにはカムピン３６が突設されており、このカムピン３６がズームリング３０の内周面に形成されたカム溝３０Ｄに係合される。したがって、ズームリング３０を回動操作すると、カム溝３０Ｄと直進溝１２Ｄとの交差位置が光軸Ｐ方向に変位し、その交差位置の変位に伴ってレンズ枠３４が光軸Ｐ方向に移動する。これにより、ズームレンズ３２が光軸Ｐ方向に移動し、焦点距離（ズーム画角）が調整される。なお、レンズ枠３４の係合部３４Ｄ、カムピン３６、ズームリング３０のカム溝３０Ｄ、鏡胴本体１２の直進溝１２Ｄから成る係合部分は、レンズ枠３４を安定して移動させるために複数設けることが好ましく、通常は、円周を三等分した三カ所に設けられる。
【００２７】
また、ズームリング３０には、外周面から内周面まで貫通するネジ孔３０Ａが形成され、このネジ孔３０Ａにツマミ３８がねじ込まれて取り付けられる。操作者はこのツマミ３８を使用してフォーカスリング３０を回動操作することもできる。また、ツマミ３８をねじ込んでその先端を鏡胴本体１２の小径部１２Ｂの外周面に押し当てることによって、ズームリング３０を所望の焦点距離調整位置で固定することができる。
【００２８】
連結部材１４は、鏡胴本体１２とカメラ１８とを連結するための部材であり、鏡胴本体１２の小径部１２Ｂの基端に取り付けられる。連結部材１４の内部には後述の光学フィルタユニット４０が内蔵されており、連結部材１４は、この光学フィルタユニット４０のＩＲカットフィルタ４６（光学フィルタに相当）の位置で二分割された構成になっている。すなわち、連結部材１４は、図５に示すように、ＩＲカットフィルタ４６のフィルタ取付板４２よりも鏡胴本体１２側（図５の左奥側）の鏡胴側部材１４Ａと、フィルタ取付板４２よりもカメラ１８側（図５の右手前側）のカメラ側部材１４Ｂとによって構成されており、この鏡胴側部材１４Ａとカメラ側部材１４Ｂとを連結することによって連結部材１４が構成される。なお、鏡胴側部材１４Ａとカメラ側部材１４Ｂとの連結方法は特に限定するものではないが、例えば、ねじを利用した連結方法や、スナップイン構造を用いた固定方法が採用される。
【００２９】
光学フィルタユニット４０は主として、フィルタ取付板４２と、このフィルタ取付板４２を光軸Ｐに対して挿抜するためのアクチュエータ４４とから成り、フィルタ取付板４２には、ＩＲ（赤外線）カットフィルタ４６とダミーフィルタ４８が上下に並んで配置される。なお、ＩＲカットフィルタ４６やダミーフィルタ４８の代わりに、ＮＤフィルタや可視光カットフィルタを配設するようにしてもよい。
【００３０】
フィルタ取付板４２には、上下方向に長いガイド孔４２Ａ、４２Ａ…が形成され、各ガイド孔４２Ａには、連結部材１４の鏡胴側部材１４Ａに突設されたガイドピン５６、５６…が挿入されてガイドされる。これにより、フィルタ取付板４２が鏡胴側部材１４Ａに上下方向にスライド自在に支持される。
【００３１】
また、フィルタ取付板４２の上部には、横方向に長孔４２Ｂが形成されており、この長孔４２Ｂに、アクチュエータ４４のアーム４４Ｃが挿入されてガイドされるようになっている。
【００３２】
アクチュエータ４４は、その本体が鏡胴側部材１４Ａの上部の装着部５８に装着されて保持される。アクチュエータ４４と鏡胴側部材１４Ａとの装着方法は特に限定するものではないが、ねじによる固定、或いはスナップイン構造が用いられる。
【００３３】
また、アクチュエータ４４は回転軸４４Ａを有し、その回転軸４４Ａに円盤４４Ｂが取り付けられ、さらに円盤４４Ｂの外周部分にアーム４４Ｃが立設される。そして、アーム４４Ｃに前述のフィルタ取付板４２の長孔４８Ｂが挿入されて係合される。
【００３４】
上記の如く構成された光学フィルタユニット４０によれば、アクチュエータ４４を駆動して回転軸４４Ａを回転させると、円盤４４Ｂが回転してアーム４４Ｃが回転軸４４Ａの周りを移動し、このアーム４４Ｃの動きに伴ってフィルタ取付板４２が上下方向に移動する。これにより、光軸Ｐ上に配置される光学フィルタを、ＩＲカットフィルタ４６とダミーフィルタ４８とで切り替えることができる。したがって、日中に撮影を行う場合には光軸Ｐ上にＩＲカットフィルタ４６を配置し、夜間に撮影を行う場合には光軸Ｐ上にダミーフィルタ４８を配置することによって、日中と夜間の両方で撮影を行うことができる。
【００３５】
図１に示すように、連結部材１４の鏡胴側部材１４Ａは、鏡胴本体１２の小径部１２Ｂの基端部に固定される。鏡胴側部材１４Ａと小径部材１２Ｂとの固定方法は特に限定されるものではないが、例えばスナップイン構造によって連結される。なお、鏡胴側部材１４Ａは、フォーカスレンズ２２やズームレンズ３２に対する位置決めが必要であるため、高い加工精度が必要とされる。
【００３６】
また、鏡胴側部材１４Ａは、図５に示すように、カメラ側部材１４Ｂとの連結面（分割面）に、フィルタ取付板４２を収容するための凹部５４が形成されている。凹部５４は、フィルタ取付板４２が上下にスライドするスペースを有し、この凹部５４の側面には、フィルタ取付板４２をガイドする円弧状の凸部５６、５６…が一定間隔で突出形成されている。したがって、凹部５４に収容した状態でフィルタ取付板４２を上下にスライドさせることができる。
【００３７】
一方、カメラ側部材１４Ｂは、光軸Ｐ上にＬＰＦ（ローパスフィルタ）５０（図１参照）を保持するための段差１４Ｄを有しており、この段差１４ＤにＬＰＦ５０が配設され、さらに板状のゴム部材５２が配置された状態で、カメラ１８の先端部が差し込まれて装着される。本実施で装着されるカメラ１８は、ＣＣＤ１８Ａとその取付基板が露出されたビルトインタイプと呼ばれるカメラ１８である。
【００３８】
このカメラ１８が装着されるカメラ側部材１４Ｂは、鏡胴側部材１４Ａほどの高い加工精度を必要としない一方で、カメラ１８の仕様（ＣＣＤ１８Ａの形状、位置、放熱特性等）に応じて様々な形状を用意する必要がある。
【００３９】
上記の如く構成された連結部材１４は以下のようにして組み立てられる。まず、連結部材１４を鏡胴側部材１４Ａとカメラ側部材１４Ｂとに分割し、鏡胴側部材１４Ａを鏡胴本体１２の小径部１２Ｂに取り付ける。次に、鏡胴側部材１４Ａの上部の装着部５８に、光学フィルタユニット４０のアクチュエータ４４を装着する。そして、フィルタ取付板４２のガイド孔４２Ａ、４２Ａ…に鏡胴側部材１４Ａのガイドピン５６、５６を挿入するとともに、フィルタ取付板４２の長孔４２Ｂにアクチュエータ４４のアーム４４Ｃを挿入することによって、フィルタ取付板４２を取り付ける。次いで、鏡胴側部材１４Ａにカメラ側部材１４Ｂを連結する。これにより、連結部材１４が鏡胴本体１２の基端部に装着されるとともに、その内部に光学フィルタユニット４０が内蔵される。なお、連結部材１４の内部に光学フィルタユニット４０を組み込んだ後に、連結部材１４を鏡胴本体１２に取り付けるようにしてもよい。
【００４０】
図２に示すように、絞り装置１６は、板状のケーシング６０を有し、このケーシング６０が鏡胴本体１２に差し込まれて装着される。具体的には、鏡胴本体１２の大径部１２Ａと小径部１２Ｂとの境界部分に、スリット状の開口部１２Ｅが円周方向に形成されており、このスリット状の開口部１２Ｅに板状のケーシング６０が光軸Ｐに直交する方向に差し込まれて装着される。ケーシング６０と鏡胴本体１２は、不図示のスナップイン構造によって連結される。すなわち、ケーシング６０には弾性変形可能なアームが設けられ、このアームの先端に係合用の爪が形成される。そして、この係合用の爪が鏡胴本体１２の溝に嵌合されることによって、絞り装置１６のケーシング６０が鏡胴本体１２に装着される。なお、絞り装置１６と鏡胴本体１２との連結方法はスナップイン構造に限定されるものではなく、ねじによる螺合等の他の連結方法を選択することも可能である。
【００４１】
ケーシング６０には円形の開口６０Ａが形成されており、ケーシング６０を鏡胴本体１２に装着した際にこの開口６０Ａが光軸Ｐ上に配置される。また、ケーシング６０の内部には、二枚の絞り羽根（不図示）が設けられており、一方の絞り羽根が開口６０Ａの上方に配置され、他方の絞り羽根が開口６０Ｂの下方に配置される。各絞り羽根は、上下方向にスライド自在に支持されており、ケーシング６０の下端に取り付けた駆動部（アイリスメータ等）６２を駆動することによって各絞り羽根が上下方向に移動するようになっている。そして、開口６０Ａの上方に配置された絞り羽根が下方に移動するとともに開口６０Ａの下方に配置された絞り羽根が上方に移動することによって、開口６０Ａが二枚の絞り羽根によって閉鎖され、被写体光が通過しない状態になる。また、駆動部６２を駆動して、上側の絞り羽根を上方に移動させるとともに下側の絞り羽根を下方に移動させることによって、二枚の絞り羽根が開口６０Ａから退避し、開口６０Ａ全体を被写体光が通過できる状態になる。なお、絞り装置１６の構成は上述したものに限定されるものではなく、虹彩絞り機構等を用いてもよい。
【００４２】
図２に示すように、絞り装置１６には回動規制部６４、６４が設けられており、この回動規制部６４、６４によって、フォーカスリング２０やズームリング３０等の操作リングの回動規制が行われる。回動規制部６４、６４は、絞り装置１６のケーシング６０と駆動部６２との接続部分で、且つ両外側に突出形成されている。また、各回動規制部６４は、先端側のフォーカス用規制部６４Ｂと、基端側のズーム用規制部６４Ａとで構成されている。
【００４３】
上記の如く構成された絞り装置１６は、フォーカスリング２０とズームリング３０とを鏡胴本体１２に取り付けた後、鏡胴本体１２の開口部１２Ｅに差し込むことによって装着される。これにより、絞り装置１６の回動規制部６４が所定の位置に配置され、この回動規制部６４によってフォーカスリング２０の回動規制とズームリング３０の回動規制が行われる。すなわち、フォーカス用規制部６４Ｂによってフォーカスリング２０の回動が規制され、ズーム用規制部６４Ａによってズームリング３０の回動が規制される。なお、回動規制部６４、６４は、絞り装置１６を鏡胴本体１２に差し込んで装着する際に、鏡胴本体１２に対する絞り装置１６の位置決め手段としても兼用される。
【００４４】
以下、フォーカスリング２０の回動規制について図２及び図３（Ａ）〜図３（Ｃ）に基づいて説明する。図３（Ａ）〜図３（Ｃ）は、図１の３−３線に沿う断面を示しており、図３（Ａ）は回動操作のない状態、図３（Ｂ）、図３（Ｃ）はそれぞれ反対方向に回動操作して規制された状態を示している。
【００４５】
図２に示すように、フォーカスリング２０は、その基端側の端面の一部（具体的には上側の略２／３）が突出しており、その突出部分の両端部に段差部２０Ｄ、２０Ｄが形成されている。この段差部２０Ｄ、２０Ｄは、フォーカスリング２０を鏡胴本体１２に装着した際に、鏡胴本体１２の大径部１２Ａの基端から突出して小径部１２Ｂ上に配置される。また、段差部２０Ｄ、２０Ｄは、図３（Ａ）に示すように、斜めに切りかかれた傾斜面２０Ｅ、２０Ｅを有し、この傾斜面２０Ｅは、図３（Ｂ）或いは図３（Ｃ）に示す如くフォーカスリング２０を回動させた際に、フォーカス用規制部６４Ｂに面接触するように構成される。
【００４６】
上記の如く構成されたフォーカスリング２０を、図３（Ａ）に示す状態から反時計回りに回動操作すると、図３（Ｂ）に示すように段差部２０Ｄの傾斜面２０Ｅがフォーカス用規制部６４Ｂに当接し、フォーカスリング２０の回動操作が規制される。また、フォーカスリング２０を図３（Ａ）に示す状態から時計回りに回動操作すると、図３（Ｃ）に示すように反対側の段差部２０Ｄの傾斜面２０Ｅがフォーカス用規制部６４Ｂに当接し、フォーカスリング２０の回動操作が規制される。
【００４７】
このようにフォーカスリング２０の回動操作は、フォーカスリング２０の段差部２０Ｄ、２０Ｄが絞り装置１６のケーシング６０のフォーカス用規制部６４Ｂに当接することによって規制される。絞り装置１６のケーシング６０は、鏡胴本体１２に位置決めされた状態で装着されているので、このケーシング６０のフォーカス用規制部６４Ｂを用いて回動規制を行うことによって、フォーカスリング２０を正確な角度範囲に規制することができる。これにより、フォーカスリング２０を正確な作動範囲に設定することができ、フォーカス操作を正確に行うことができる。
【００４８】
また、上述した実施の形態によれば、絞り装置１６の一部を利用してフォーカスリング２０の回動規制を行うので、回動規制用のピンや溝が不要になり、ピンや溝を用いる場合に比べて、レンズ鏡胴１０全体を小型化することができるとともに、レンズ鏡胴１０の組み立て工数を減少させることができる。
【００４９】
さらに、上述した実施の形態によれば、フォーカスリング２０とフォーカス用規制部６４Ｂとの接触は点接触でもよいが、フォーカスリング２０の傾斜面２０Ｅをフォーカス用規制部６４Ｂに面接触させるようにしたので、当接部分に十分な強度を確保することができる。すなわち、フォーカスリング２０の段差部２０Ｄやフォーカス用規制部６４Ｂの変形を防止することができ、変形に伴って回動範囲のずれが生じることを防止することができる。
【００５０】
次にズームリング３０の回動規制について図２及び図４（Ａ）〜図４（Ｃ）に基づいて説明する。図４（Ａ）〜図４（Ｃ）は、図１の４−４線に沿う断面を示しており、図４（Ａ）は回動操作のない状態、図４（Ｂ）、図４（Ｃ）はそれぞれ反対方向に回動操作して規制された状態を示している。
【００５１】
図４（Ａ）に示すように、ズームリング３０には、外周面から突出した突起部６６が設けられている。この突起部６６は例えば樹脂から成り、ズームリング３０と一体的に形成される。また、突起部６６は、図４（Ａ）に示すように、フォーカスリング２０よりも小さな範囲で形成することが好ましい。さらに、突起部６６には、図４（Ｂ）或いは図４（Ｃ）に示す如くズームリング３０を回動操作した際にズーム用規制部６４Ａ、６４Ａに面接触する当接面６６Ａ、６６Ａが形成されている。
【００５２】
上記の如く構成されたズームリング３０を、図４（Ａ）に示す状態から反時計回りに回動操作すると、図４（Ｂ）に示すように突起部６６がズーム用規制部６４Ａに当接し、ズームリング３０の回動操作が規制される。また、ズームリング３０を、図４（Ａ）に示す状態から時計回りに回動操作すると、図４（Ｃ）に示すように、突起部６６がズーム用規制部６４Ａに当接し、ズームリング３０の回動操作が規制される。
【００５３】
このようにズームリング３０の回動操作は、ズームリング３０の突起部６６、６６が絞り装置１６のケーシング６０のズーム用規制部６４Ａに当接することによって規制される。絞り装置１６のケーシング６０は、鏡胴本体１２に位置決めされた状態で装着されているので、このケーシング６０のズーム用規制部６４Ａを用いて回動規制を行うことによって、ズームリング３０を正確な角度範囲に規制することができる。これにより、ズームリング３０を正確な作動範囲に設定することができ、ズーム操作を正確に行うことができる。
【００５４】
また、上述した実施の形態によれば、絞り装置１６の一部を利用してズームリング３０の回動規制を行うので、回動規制用のピンや溝が不要になり、ピンや溝を用いる場合に比べて、レンズ鏡胴１０全体を小型化することができるとともに、レンズ鏡胴１０の組み立て工数を減少させることができる。
【００５５】
さらに、上述した実施の形態によれば、ズームリング３０とズーム用規制部６４Ａとの接触は点接触でもよいが、ズームリング３０の当接面６６Ａをズーム用規制部６４Ａに面接触させるようにしたので、当接部分に十分な強度を確保することができる。すなわち、ズームリング３０の突起部６６やズーム用規制部６４Ａの変形を防止することができ、変形に伴う回動範囲のずれを防止することができる。
【００５６】
なお、上述した実施の形態は、絞り装置１６の回動規制部６４に当接させるために、フォーカスリング２０の端面に段差部２０Ｄを設け、ズームリング３０の外周面に突起部６６を設けたが、反対に、フォーカスリング２０の外周面に突起部を設けて回動規制部６４に当接させるとともに、ズームリング３０の端面に段差部を設けて回動規制部６４に当接させてもよい。
【００５７】
また、フォーカスリング２０やズームリング３０等の操作リングの形状は上述した実施の形態に限定されるものではなく、絞り装置１６の回動規制部６４に所定の回動位置で当接する形状であればよい。したがって、例えば、操作リングの周面に、絞り装置１６のケーシング６０よりも円周方向に大きいスリット状の開口を形成し、この開口にケーシング６０を挿入して装着してもよい。この場合、操作リングのスリット状の開口部の円周方向の端部がケーシング６０に当接することによって、操作リングの回動範囲を規制することができる。
【００５８】
また、上述した実施形態は、フォーカス用規制部６４Ｂとズーム用規制部６４Ａとを一体的に形成したが、これに限定するものではなく、別々に形成してもよい。
【００５９】
さらに上述した実施形態は、絞り装置１６に回動規制部６４を突出形成したが、これに限定するものではなく、絞り装置１６のケーシング６０等に操作リングを直接当接させて回動規制を行うようにしてもよい。
【図面の簡単な説明】
【００６０】
【図１】本発明に係るレンズ鏡胴の構成を示す断面図
【図２】レンズ鏡胴の分解斜視図
【図３】フォーカスリングの回動規制を説明するための断面図
【図４】ズームリングの回動規制を説明するための断面図
【図５】連結部材の構成を示す斜視図
【符号の説明】
【００６１】
１０…レンズ鏡胴、１２…鏡胴本体、１４…連結部材、１４Ａ…鏡胴側部材、１４Ｂ…カメラ側部材、１６…絞り装置、１８…カメラ、２０…フォーカスリング、２０Ｄ…段差部、２２…フォーカスレンズ、２４…レンズ枠、３０…ズームリング、３２…ズームレンズ、３４…レンズ枠、４０…光学フィルタユニット、４２…フィルタ取付板、４４…アクチュエータ、４６…ＩＲカットフィルタ、６０…ケーシング、６２…駆動部、６４…回動規制部、６４Ａ…ズーム用規制部、６４Ｂ…フォーカス用規制部、６６…突起部
【図１】
2006301290.tif 000003
【図２】
2006301290.tif 000004
【図３】
2006301290.tif 000005
【図４】
2006301290.tif 000006
【図５】
2006301290.tif 000007